(57)【要約】      （修正有）【課題】被着体から簡単に剥がせる貼着保持具を提供する。【解決手段】被着体Ｂに対し、保持具本体１が粘着シート２を挟んで貼着された後に、保持具本体１の熱通路部１ｃを通して、発熱器から放出される熱エネルギーＣを粘着シート２の熱剥離型粘着剤２ａに向け熱伝導させることにより、熱剥離型粘着剤２ａが温度上昇して変質し、被着体Ｂに対する接着力が加熱処理前よりも低下して剥離可能となる。【選択図】図１
0003175860.tif 000002
【実用新案登録請求の範囲】
【請求項１】
被着体と対向するように設けられる保持具本体と、
前記保持具本体の裏面に設けられて前記被着体に貼着される粘着シートと、を備え、
前記粘着シートは、少なくとも前記被着体と対向する面に、その温度上昇に伴って剥離性を有する加熱剥離型粘着剤が形成され、
前記保持具本体は、その表面から前記裏面に亘って、発熱器から放出される熱エネルギーを前記粘着シートの前記熱剥離型粘着剤に向け熱伝導させる熱通路部を有することを特徴とする貼着保持具。
【請求項２】
前記保持具本体に複数の前記熱通路部をそれぞれ所定間隔毎に貫通開穿したことを特徴とする請求項１記載の貼着保持具。
【請求項３】
前記発熱器がドライヤーであり、前記熱エネルギーとして温風を吹き出す請求項１又は２記載の貼着保持具。
【請求項４】
前記保持具本体の表面にフック部を突出するように設けたことを特徴とする請求項１、２又は３記載の貼着保持具。
【考案の詳細な説明】
【技術分野】
【０００１】
本考案は、壁面や柱などに対して貼着により取り付けられる、例えば吊下用フックなどのような貼着保持具に関する。
【背景技術】
【０００２】
従来、この種の吊下用フックとして、両面接着形の粘着テープなどで壁面や柱などに貼着し、移動不能に取り付けるものがある。
また、物を掛止するフック体を形成した掛止具本体の裏面にホットメルト接着剤層を設け、このホットメルト接着剤層にライターやマッチなどの炎を当てがい、ホットメルト接着剤層を加熱溶融させることにより、壁面や柱などの被着体に接着して取り付ける掛止具がある（例えば、特許文献１参照）。
【先行技術文献】
【特許文献】
【０００３】
【特許文献１】登録実用新案３０７２０００号公報
【考案の概要】
【考案が解決しようとする課題】
【０００４】
しかし乍ら、このような従来の貼着保持具では、不要になるなどの理由により取り外した際に、取り付け対象物となる壁面や柱などの表面を損傷させたり、粘着テープやホットメルト接着剤層などの接着手段が被着体の表面に残ったりするなど、美観を損ねるおそれがあった。
特に、賃貸住宅の場合には、退去の際に住宅を元の状態に戻す必要があるため、非常に問題視されている。
そこで、このような問題点を解決するため、加熱処理に伴って剥離性を有し易剥離する加熱剥離型粘着シートを用い、壁面や柱などの被着体に対して貼着保持具が吊着された後、加熱剥離型粘着シートを加熱処理して、被着体から貼着保持具を容易に無理なく剥離可能にすることが考えられる。
しかし、このような場合には、被着体と貼着保持具の間に挟み込まれた加熱剥離型粘着シートの露出量が僅かであるため、この加熱剥離型粘着シートを剥離温度まで加熱することが困難で、被着体から貼着保持具をスムーズに剥離できないという問題があった。
【０００５】
本考案は、このような問題に対処することを課題とするものであり、被着体から簡単に剥がせる貼着保持具を提供すること、などを目的とするものである。
【課題を解決するための手段】
【０００６】
このような目的を達成するために本考案は、被着体と対向するように設けられる保持具本体と、前記保持具本体の裏面に設けられて前記被着体に貼着される粘着シートと、を備え、前記粘着シートは、少なくとも前記被着体と対向する面に、その温度上昇に伴って剥離性を有する加熱剥離型粘着剤が形成され、前記保持具本体は、その表面から前記裏面に亘って、発熱器から放出される熱エネルギーを前記粘着シートの前記熱剥離型粘着剤に向け熱伝導させる熱通路部を有することを特徴とする。
【考案の効果】
【０００７】
前述した特徴を有する本考案は、被着体に対し、保持具本体が粘着シートを挟んで貼着された後に、保持具本体の熱通路部を通して、発熱器から放出される熱エネルギーを粘着シートの熱剥離型粘着剤に向け熱伝導させることにより、熱剥離型粘着剤が温度上昇して変質し、被着体に対する接着力が加熱処理前よりも低下して剥離可能となるので、被着体から簡単に剥がせる貼着保持具を提供することができる。
その結果、粘着テープやホットメルト接着剤層などの接着手段で壁面や柱などに貼着して取り付ける従来のものに比べ、不要になるなどの理由により取り外した際に、取り付け対象物となる壁面や柱などの表面を損傷させたり、粘着テープやホットメルト接着剤層などの接着手段が被着体の表面に残ったりするなど美観を損ねることがなく、簡単に原状回復できる。
【図面の簡単な説明】
【０００８】
【図１】本考案の実施形態に係る貼着保持具の全体構成を示す説明図であり、（ａ）が斜視図、（ｂ）が縦断正面図である。
【考案を実施するための形態】
【０００９】
以下、本考案の実施形態を図面に基づいて詳細に説明する。
本考案の実施形態に係る貼着保持具Ａは、図１（ａ）（ｂ）に示すように、その保持具本体１を壁面などの被着体Ｂに対して粘着シート２の貼着により移動不能に取り付けるものである。
詳しく説明すると、貼着保持具Ａは、被着体Ｂと対向するように設けられる保持具本体１と、保持具本体１の裏面１ａに設けられて被着体Ｂに貼着される粘着シート２を、主要な構成要素として備えている。
【００１０】
保持具本体１は、例えば合成樹脂や金属などの硬質な材料で、少なくとも被着体Ｂと対向する裏面１ａが平滑な平板状に形成され、裏面１ａには後述する粘着シート２が設けられる。
保持具本体１の構成材料としては、コストや剛性などからＡＢＳ樹脂やポリスチレンなどの合成樹脂を用いることが好ましい。
【００１１】
さらに、保持具本体１において後述する粘着シート２が固着される部位には、その表面１ｂから裏面１ａに亘って、発熱器（図示しない）から放出される熱エネルギーＣを粘着シート２の熱剥離型粘着剤２ａに向け熱伝導させる熱通路部１ｃを有している。
熱通路部１ｃは、保持具本体１の表面１ｂから裏面１ａに亘って貫通する通路（孔）である。図１（ａ）（ｂ）に示される例のように、熱通路部１ｃの形状を円形とし、一つの保持具本体１に対し複数個の熱通路部１ｃがそれぞれ所定間隔毎に貫通開穿されて、熱剥離型粘着剤２ａへの熱伝導性を高めることが好ましい。熱通路部１ｃの大きさは、保持具本体１がその構造上において強度が低下しない範囲内で、可能な限り大きく形成することが好ましい。
また、その他の例として図示しないが、熱通路部１ｃの形状を円形以外の三角形や矩形や多角形又は星形に変更したり、多数の熱通路部１ｃを網状に形成したりすることも可能である。
発熱器としては、熱エネルギーＣとして温風や熱風を放出する、例えばドライヤーやバーナーなどからなる。発熱器の具体例としては、一般家庭で使用される、その最高温度として約１００〜１２０℃程度の温風（熱風）が吹き出し可能なヘアドライヤーを用いることが好ましい。
【００１２】
粘着シート２は、保持具本体１の裏面１ａを後述する被着体Ｂに対して移動不能に貼着するための接着手段である。粘着シート２において少なくとも被着体Ｂと対向する面には、その温度上昇に伴って剥離性を有する加熱剥離型粘着剤２ａが形成される。
加熱剥離型粘着剤２ａは、それ自体が設定された温度に上昇することで、接着力が温度上昇前よりも低下して剥離可能となる性質を有している。加熱剥離型粘着剤２ａが剥離性能を発揮する温度（剥離温度）としては、ヘアドライヤーの温風を数分間に亘り吹きかけることで到達する、例えば約７０度〜８０度又はその前後に設定することが好ましい。
加熱剥離型粘着剤２ａの具体例としては、特開平３−６４３８１号に記載される、熱収縮性基材の表面に発泡剤含有の接着剤層を設けて加熱することにより、熱収縮性基材が熱収縮するとともに接着剤層中の発泡剤が発泡して接着力が低下させるものや、特開２００９−１６１６２０号に記載される、シート基材の片面又は両面に、粘着性高分子体、硬化性樹脂、重合開始剤及び架橋剤を主成分とする粘着剤組成物層を形成し、保存時及び貼付け時には粘着性能を保有しており、剥離要求時には加熱することにより、熱重合硬化して易剥離するものを用いることが好ましい。
【００１３】
一方、被着体Ｂは、例えば壁面や柱又は天井などからなり、その表面Ｂ１を粘着シート２が密着するように平滑に形成したものが好ましい。
さらに、被着体Ｂとしては、例えば直射日光が当たる窓ガラスなどのように高温に温度上昇しないものが好ましい。
【００１４】
そして、本考案の実施形態に係る貼着保持具Ａの使用方法は、図１（ｂ）に示されるように、被着体Ｂの平坦な表面Ｂ１に対し、保持具本体１を粘着シート２が挟まれるように貼着して取り付ける。
その後、不要になるなどの理由で取り外す時には、ヘアドライヤーなどの発熱器から温風（熱風）を、保持具本体１の熱通路部１ｃに向けて放出し、その熱エネルギーＣを粘着シート２の熱剥離型粘着剤２ａに向け熱伝導させて、熱剥離型粘着剤２ａの温度を上昇させるだけでよい。
【００１５】
このような貼着保持具Ａによると、発熱器から放出される熱エネルギーＣが、保持具本体１の熱通路部１ｃを通して、粘着シート２の熱剥離型粘着剤２ａに向け熱伝導するため、熱剥離型粘着剤２ａが温度上昇して変質（熱変化）し、加熱処理前における被着体Ｂの平坦な表面Ｂ１に対する接着力が加熱処理前よりも低下して剥離可能となる。
それにより、加熱処理だけで保持具本体１が被着体Ｂから簡単に剥がせる。
【００１６】
特に、保持具本体１に複数の熱通路部１ｃをそれぞれ所定間隔毎に貫通開穿した場合には、複数の熱通路部１ｃを通して熱剥離型粘着剤２ａの複数箇所に、発熱器から放出される熱エネルギーがそれぞれ熱伝導されるため、熱剥離型粘着剤２ａの全体が速やかに剥離温度まで温度上昇する。
それにより、短時間の加熱処理で確実に剥離することができる。
【００１７】
さらに、発熱器がドライヤーであり、熱エネルギーＣとして温風を吹き出す場合には、ドライヤーからの温風を保持具本体１の熱通路部１ｃに吹き付けることにより、粘着シート２の熱剥離型粘着剤２ａが剥離温度まで温度上昇して被着体Ｂから剥離可能となる。
それにより、特別な発熱器を用意することなく被着体Ｂから簡単に剥離することができる。
その結果、誰にでも剥離作業が行えて便利である。
次に、本考案の一実施例を図面に基づいて説明する。
【実施例】
【００１８】
この実施例は、図１（ａ）（ｂ）に示すように、貼着保持具Ａが保持具本体１の表面１ｂ側に吊り下げ用のフック部１ｄを突出するように設けた場合を示すものである。
図１（ａ）（ｂ）に示される例では、保持具本体１の端部から一つのフック部１ｄが略Ｕ字形に一体成形されている。詳しくは、例えばＡＢＳ樹脂やポリスチレンなどの合成樹脂で保持具本体１とフック部１ｄが一体成形されている。
また、その他の例として図示しないが、吊り下げ用のフック部１ｄの形状を他の形状に変更したり、保持具本体１に対してそれと別な材料からなるフック部１ｄを設けたり、一つの保持具本体１に対して複数（二つ以上）のフック部１ｄを設けたり、保持具本体１に対し吊り下げ用のフック部１ｄを移動自在に設けて折り畳み可能としたりするなどの変更も可能である。
【００１９】
さらに、図１（ａ）（ｂ）に示される例では、粘着シート２の両面に熱剥離型粘着剤２ａにそれぞれ形成され、そのうち一方の熱剥離型粘着剤２ａ１には、剥離紙（図示しない）などが接着され、この剥離紙を剥がすなどして熱剥離型粘着剤２ａ１の全体を露出させた後、被着体Ｂの表面Ｂ１に押し付けることで貼着される。
保持具本体１の裏面１ａには、両面接着テープ３の第一接着面が接着され、両面接着テープ３の第二接着面には、例えばポリエチレンなどの発泡樹脂からなるクッション材４を挟み込んで、他方の熱剥離型粘着剤２ａ２が一体的に接着されている。
両面接着テープ３の第一接着面及び第二接着面と、粘着シート２において他方の熱剥離型粘着剤２ａ２とクッション材４の接着面は、一方の熱剥離型粘着剤２ａ１の剥離温度よりも高い温度になっても剥離しないように強い接着力で構成されている。すなわち、粘着シート２において被着体Ｂに貼着される一方の熱剥離型粘着剤２ａ１の剥離温度は、両面接着テープ３の第一接着面及び第二接着面や、粘着シート２において他方の熱剥離型粘着剤２ａ２とクッション材４の接着面よりも、遥かに低く設定されている。
また、その他の例として図示しないが、クッション材４を設けずに両面接着テープ３を介して保持具本体１の裏面１ａと粘着シート２を接着したり、両面接着テープ３を設けずに保持具本体１の裏面１ａに対して粘着シート２を直接的に接着したり、変更することも可能である。
【００２０】
このような本考案の実施例に係る貼着保持具Ａによると、被着体Ｂに保持具本体１が貼着された状態で、保持具本体１の表面１ｂから突出する吊り下げ用のフック部１ｄに対し、種々の物品を引っ掛けて吊り下げることが可能となる。
それにより、加熱による易剥離性に優れた吊り下げフックを提供することができるという利点がある。
【００２１】
さらに、被着体Ｂから保持具本体１を剥離するには、発熱器から放出される熱エネルギーＣが、保持具本体１の熱通路部１ｃを通して粘着シート２に向け熱伝導されると、被着体Ｂに貼着される一方の熱剥離型粘着剤２ａ１が剥離温度に到達して、被着体Ｂの表面Ｂ１から剥がれる。しかし、このような状況になっても、両面接着テープ３の第一接着面及び第二接着面と、粘着シート２において他方の熱剥離型粘着剤２ａ２とクッション材４の接着面は剥離せず、保持具本体１の裏面１ａに両面接着テープ３とクッション材４と粘着シート２が一体的に接着されたまま保持される。
それにより、被着体Ｂからの剥離時において貼着保持具Ａの一部が残ることなく一度で完全に剥がすことができるという利点がある。
【００２２】
なお、前示実施例では、貼着保持具Ａが保持具本体１の表面１ｂ側に吊り下げ用のフック部１ｄを突出するように設けた吊り下げフックである場合を示したが、これに限定されず、吊り下げ用のフック部１ｄに代えて棒状やリング状のハンガーを取り付けることでタオル掛けとしたり、複数の保持具本体１に亘って棒状のハンガーを取り付けたりするなど、保持具本体１を壁面や柱などの被着体Ｂに対して粘着シート２の貼着により移動不能に取り付けるものであれば、他の構造であっても良い。
このような場合でも、前述した吊り下げフックと同様な作用効果が得られる。
【符号の説明】
【００２３】
１  保持具本体                          １ａ  裏面
１ｂ  表面                              １ｃ  熱通路部
１ｄ  フック部                          ２  粘着シート
２ａ  加熱剥離型粘着剤                  Ｂ  被着体
Ｃ  熱エネルギー
【図１】
0003175860.tif 000003